(57)【要約】      （修正有）【課題】軽量でコンパクトに収容できて携帯に適し、簡単に取出・片付できる携帯用パーテーションを提供する。【解決手段】携帯用パーテーション１１は、可撓性の透明樹脂製で横長矩形状を有する２枚のシート体１２、１３からなる。シート体１２、１３は、複数の壁部２１〜２３と、複数の折目部３１〜３３と、係止部４１ａ、４１ｂ、４２ａ、４２ｂとを備える。複数の壁部２１〜２３は、シート長手方向に４つ以上連なる。複数の折目部３１〜３３は、壁部２１〜２３同士の境界に形成されている。係止部４１ａ、４１ｂ、４２ａ、４２ｂは、壁部２１〜２３に形成され互いに係脱可能である。シート体１２、１３は、複数の折目部３１〜３３に沿って折り畳み可能である。シート体１２、１３は、係止部４１ａ、４１ｂ、４２ａ、４２ｂ同士の係止により互いに上下方向にずらして連結した状態で立設可能である。【選択図】図１
0003232412.tif 000002
【実用新案登録請求の範囲】
【請求項１】
可撓性の透明樹脂製で横長矩形状を有する少なくとも２枚のシート体からなり、
前記シート体は、シート長手方向に４つ以上連なる複数の壁部と、前記壁部同士の境界に形成された複数の折目部と、前記壁部に形成され互いに係脱可能な係止部とを備え、
前記シート体は、前記複数の折目部に沿って折り畳み可能であるとともに、前記係止部同士の係止により互いに上下方向にずらして連結した状態で立設可能である
ことを特徴とする携帯用パーテーション。
【請求項２】
前記シート体は、
２枚の第１壁部、２枚の第２壁部及び２枚の第３壁部を備えるとともに、
前記第１壁部同士の境界に形成され前記シート体の中央部に位置する第１折目部、前記第１壁部とそれに隣接する前記第２壁部との境界に形成された第２折目部、及び前記第２壁部とそれに隣接する前記第３壁部との境界に形成された第３折目部を備え、
前記第１壁部、前記第２壁部及び前記第３壁部は、この順に面積が小さくなるように形成されており、
前記シート体の片側を基準面としたときに、前記第１折目部及び前記第２折目部は前記基準面に対して山折りとなり、前記第３折目部は前記基準面に対して谷折りとなるように形成されている
ことを特徴とする請求項１に記載の携帯用パーテーション。
【請求項３】
前記第１壁部、前記第２壁部及び前記第３壁部は、いずれもＡ４サイズと同等またはそれ以下のサイズであることを特徴とする請求項２に記載の携帯用パーテーション。
【請求項４】
前記係止部は、各々の前記シート体における複数箇所にて離間して設けられた面ファスナであることを特徴とする請求項１乃至３のいずれか１項に記載の携帯用パーテーション。
【考案の詳細な説明】
【技術分野】
【０００１】
本考案は、携帯するのに適したパーテーションに関するものである。
【背景技術】
【０００２】
近年、各種ウィルスに対する脅威が高まりつつある社会情勢のなか、パーテーションを用いて空間を仕切ることがウィルスの飛沫感染を防止するうえで有効な方法であると考えられている。
【０００３】
このようなパーテーションとしては、透明なアクリル板を複数枚使用し、それらを立体的に組み立てたものが従来よく知られている。また、複数枚の透明なアクリル板を用い、それらを蝶番で繋いで折り畳み可能に構成したパーテーションも従来提案されている（例えば、特許文献１を参照）。
【先行技術文献】
【特許文献】
【０００４】
【特許文献１】実用新案登録第３２２８０６５号公報
【特許文献２】実用新案登録第３２３０１１４号公報
【考案の概要】
【考案が解決しようとする課題】
【０００５】
ところで、この種のパーテーションは基本的に同じ場所で使用されるのが一般的であるが、例えば営業マン自身がパーテーションを携帯し、客先でそのパーテーションを設置して商談等を行いたいというニーズがある。しかしながら、従来のアクリル板製のパーテーションは、少なくとも縦横数十センチ以上の寸法を有していて、重量もあり嵩張りやすいものであるため、携帯に適したものではない。
【０００６】
特許文献１の従来技術は折り畳み可能な構造ではあるが、コンパクトに収容することができず、重量もあることから、やはり携帯には適していない。
【０００７】
さらに従来においては、アクリル板よりも薄くて軽量な１枚の可撓性樹脂シートからなり、丸めて収容できるパーテーションも提案されている（例えば、特許文献２を参照）、しかし、このパ―テーションはそもそも広面積であり、丸めてもコンパクトに収容することはできず、嵩張ってしまう。このため、携帯に適したものとは言い難い。なお、可撓性樹脂シート製のパーテーションをコンパクトに収容するには、パーテーションを折り畳めばよいと考えられる。しかし、可撓性樹脂シートをコンパクトに折り畳むためには、縦横方向に多くの折目を設ける必要がある。従って、使用する際に手早く取出して展開し、安定した状態で立設することができない。また、使用後に手早く折り畳んで再びコンパクトに収容することで簡単に片付けることができない。
【０００８】
本考案は上記の課題に鑑みてなされたものであり、その目的は、軽量でコンパクトに収容できるため携帯に適しており、簡単に取出したり片付けたりすることができる携帯用パーテーションを提供することにある。
【課題を解決するための手段】
【０００９】
上記課題を解決するために、請求項１に記載の考案は、可撓性の透明樹脂製で横長矩形状を有する少なくとも２枚のシート体からなり、前記シート体は、シート長手方向に４つ以上連なる複数の壁部と、前記壁部同士の境界に形成された複数の折目部と、前記壁部に形成され互いに係脱可能な係止部とを備え、前記シート体は、前記複数の折目部に沿って折り畳み可能であるとともに、前記係止部同士の係止により互いに上下方向にずらして連結した状態で立設可能であることを特徴とする携帯用パーテーションをその要旨とする。
【００１０】
従って、請求項１に記載の考案によると、展開された横長矩形状の各シート体は、使用時に互いにシート短手方向にずらして配置され、かつ壁部に形成された係止部同士の係止によって連結されることで、立設可能な１枚の広面積のパーテーションとなる。また使用後には、係止部同士の係止を解除して各シート体を非連結状態とし、各折目部に沿って折り畳むことでコンパクトな状態で収容することができる。なお、可撓性の透明樹脂からなる各シート体は、軽量であることに加え、繰り返す展開及び折り畳みに適したものとなっている。
【００１１】
請求項２に記載の考案は、請求項１において、前記シート体は、２枚の第１壁部、２枚の第２壁部及び２枚の第３壁部を備えるとともに、前記第１壁部同士の境界に形成され前記シート体の中央部に位置する第１折目部、前記第１壁部とそれに隣接する前記第２壁部との境界に形成された第２折目部、及び前記第２壁部とそれに隣接する前記第３壁部との境界に形成された第３折目部を備え、前記第１壁部、前記第２壁部及び前記第３壁部は、この順に面積が小さくなるように形成されており、前記シート体の片側を基準面としたときに、前記第１折目部及び前記第２折目部は前記基準面に対して山折りとなり、前記第３折目部は前記基準面に対して谷折りとなるように形成されていることをその要旨とする。
【００１２】
従って、請求項２に記載の考案によると、パーテーションを構成する各シート体は、基準面に対して山折りの折目部と、谷折りの折目部との両方を有するため、展開して互いに連結された状態では、安定的に立設しやすい形状とすることができる。また使用後には、面積の最も大きい２枚の第１壁部を外側に配置し、かつそれよりも面積の小さい第２壁部及び第３壁部を内側に配置した状態で折り畳むことが可能である。このため、折り畳んでコンパクトになった状態のパーテーションを、比較的小さい容器に入れて容易に持ち運ぶことができる。また、このような折り畳み状態であると、取出時や収容時にパーテーションが容器に引っ掛かりにくくなり、取出や収容を容易に行うことが可能となる。さらに、面積の最も大きい２枚の第１壁部が各シート体の中央部に位置していることから、対峙して座った使用者同士の視界も確保されやすい。
【００１３】
請求項３に記載の考案は、請求項２において、前記第１壁部、前記第２壁部及び前記第３壁部は、いずれもＡ４サイズと同等またはそれ以下のサイズであることをその要旨とする。
【００１４】
従って、請求項３に記載の考案によると、鞄等に入れて持ち運ぶのに便利なＡ４サイズ以下の大きさとなるため、携帯性をよりいっそう向上することができる。
【００１５】
請求項４に記載の考案は、請求項１乃至３のいずれか１項において、前記係止部は、各々の前記シート体における複数箇所にて離間して設けられた面ファスナであることをその要旨とする。
【００１６】
従って、請求項４に記載の考案によると、複数箇所にて離間して設けられた面ファスナ同士を接触配置して係止させることにより、極めて簡単にかつ確実にシート体同士を互いに連結することができる。また、面ファスナは薄くて簡単な構造を有し、比較的安価な材料であるため、パーテーションの軽量化、低コスト化、コンパクト化等に貢献する。
【考案の効果】
【００１７】
以上詳述したように、請求項１〜４に記載の考案によると、軽量でコンパクトに収容できるため携帯に適しており、簡単に取出したり片付けたりすることができる携帯用パーテーションを提供することができる。
【図面の簡単な説明】
【００１８】
【図１】本考案を具体化した一実施形態の携帯用パーテーションを示す概略斜視図。
【図２】（ａ）は携帯用パーテーションを構成する上側シート体の正面図、（ｂ）は携帯用パーテーションを構成する下側シート体の正面図、（ｃ）はシート体を折り畳むときの様子を示す概略平面図。
【図３】折り畳まれた状態で容器に収容されていたシート体を取り出すときの様子を示す概略図。
【図４】シート体を展開するときの様子を示す概略図。
【図５】展開されたシート体を上下方向にずらして互いに連結するときの様子を示す概略図。
【考案を実施するための形態】
【００１９】
以下、本考案を具体化した一実施形態の携帯用パーテーションを図１〜図５に基づき詳細に説明する。
【００２０】
図１に示されるように、本実施形態の携帯用パーテーション１１は、例えばウィルスの飛沫感染を防止する目的で、利用者のあいだの空間を仕切るために用いられる器具である。図１、図２に示されるように、このパーテーション１１は、基本的に２枚のシート体（上側シート体１２及び下側シート体１３）によって構成されている。
【００２１】
２枚のシート体１２、１３は、いずれも可撓性の透明樹脂からなるシート材を用いて形成されている。透明樹脂からなるシート材としては特に限定されず、従来公知の種々のシート材を使用することができるが、好適例としては硬質ＰＶＣ製のシート材やＰＥＴ製のシート材などを挙げることができる。これらシート材は比較的安価であることに加え、薄くても強度があるからである。特にＰＥＴ製のシート材は、好適な強度や透明性を有している点でより好ましい。シート材の厚さは特に限定されないが、例えば０．３ｍｍ〜１．０ｍｍ程度のものが使用可能であり、本実施形態では０．５ｍｍのものを使用している。
【００２２】
図２（ａ）、（ｂ）に示されるように、２枚のシート体１２、１３は、いずれも横長矩形状であって、同じ寸法を有している。シート体１２、１３における縦横寸法比は例えば２．０倍以上であることがよく、特には２．０倍以上２．５倍以下であることがよい。本実施形態におけるシート体１２、１３では、シート長手方向の寸法が６４０ｍｍ、シート短手方向の寸法が３００ｍｍとなるように設計されており、縦横寸法比が約２．１３倍となっている。これらのシート体１２、１３の各コーナー部は、引っ掛かりをなくすためにアール状に形成されていてもよい。
【００２３】
２枚のシート体１２、１３は、いずれもシート長手方向に４つ以上連なる複数の壁部を備えている。本実施形態におけるシート体１２、１３は、２枚の第１壁部２１、２枚の第２壁部２２及び２枚の第３壁部２３を備え、これら６枚がシート長手方向に連なったものとなっている。第１壁部２１、第２壁部２２及び第３壁部２３は、この順に面積が小さくなるように形成されている。具体的にいうと、本実施形態では第１壁部２１の寸法は２１０ｍｍ×３００ｍｍ、第２壁部２２の寸法は１０５ｍｍ×３００ｍｍ、第３壁部２３の寸法は５０ｍｍ×３００ｍｍとなっている。つまり、第１壁部２１は第２壁部２２の２倍の面積を有しており、第２壁部２２は第３壁部２３の２倍強の面積を有している。なお、第１壁部２１、第２壁部２２及び第３壁部２３は、いずれもＡ４サイズ（２１０ｍｍ×２９７ｍｍ）と同等またはそれ以下のサイズとなっている。
【００２４】
２枚のシート体１２、１３は、いずれもシート短手方向に沿って直線的に延びる複数の折目部を備えている。即ち、複数の折目部はいずれも同じ方向に延びている。具体的にいうと本実施形態では、１本の第１折目部３１と、２本の第２折目部３２と、２本の第３折目部３３とが、それぞれのシート体１２、１３に対して形成されている。第１折目部３１はシート体１２、１３の中央部に位置しており、隣接した第１壁部２１同士の境界に形成されている。第２折目部３２は、第１壁部２１とそれに隣接する第２壁部２２との境界に形成されている。第３折目部３３は、第２壁部２２とそれに隣接する第３壁部２３との境界に形成されている。
【００２５】
図１、図２に示されるように、使用時においてパーテーション１１の所有者Ｍ１側に向ける面を「所有者側面Ｓ２」とし、相手側に向ける面を「相手側面Ｓ１」とする。そして、第１折目部３１及び第２折目部３２は、基準面である相手側面Ｓ１に対して山折りとなるように形成されている。一方、第３折目部３３は、基準面である相手側面Ｓ１に対して谷折りとなるように形成されている。即ち、このパーテーション１１は、シート両端部に位置する第３折目部３３の折りの向きと、それ以外のもの（第１折目部３１及び第２折目部３２）の折りの向きとが反対になっている。図２（ａ）、（ｂ）では、山折りの部分を実線で描き、谷折りの部分を破線で描いている。また、図２（ｃ）では、パーテーション１１を展開したときの状態を実線で描いており、折り畳むときの状態を二点鎖線で描いている。パーテーション１１を折り畳んだ場合、２枚の第１壁部２１が外側に配置される。そして、この２枚の第１壁部２１の間に、２枚の第２壁部２２及び２枚の第３壁部２３が配置された状態となる。このため、折り畳まれた状態のパーテーション１１は、ほぼＡ４サイズに収まることとなる。
【００２６】
２枚のシート体１２、１３は、互いに係脱可能な係止部としての複数の面ファスナ４１ａ、４１ｂ、４２ａ、４２ｂを備えている。具体的には、上側シート体１２は、長方形状をした第１の面ファスナ４１ａと、略正方形状をした第２の面ファスナ４１ｂとを２つずつ備えている。下側シート体１３は、長方形状をした第１の面ファスナ４２ａと、正方形状をした第２の面ファスナ４２ｂとを２つずつ備えている。各面ファスナ４１ａ、４１ｂ、４２ａ、４２ｂは、いずれも接着力が強い両面テープを用いてシート体１２、１３に接着固定されている。なお、面ファスナ４１ａ、４１ｂ、４２ａ、４２ｂの色は特に限定されず任意に選択することができるが、本実施形態では視界に入っても目立ちにくく邪魔にならないように、白色のものを用いている。また、面ファスナ４１ａ、４１ｂ、４２ａ、４２ｂは、視界に入りにくい第２壁部２２及び第３壁部２３に設けられている一方で、視界に入りやすい第１壁部２１には敢えて設けないようにしている。
【００２７】
上側シート体１２における第１の面ファスナ４１ａ及び第２の面ファスナ４１ｂは、多数の微小なフックを有するフック面を有している。第１の面ファスナ４１ａは、上側シート体１２の各第２壁部２２の相手側面Ｓ１側に設けられている。第１の面ファスナ４１ａは、上側シート体１２の下縁から７０ｍｍほど上方、かつ第２折目部３２に近接した位置にて、横長に配置されている。第２の面ファスナ４１ｂは、上側シート体１２の各第３壁部２３の相手側面Ｓ１側に設けられている。第２の面ファスナ４１ｂは、各上側シート体１２の下側コーナー部の付近に配置されている。
【００２８】
下側シート体１３における第１の面ファスナ４２ａ及び第２の面ファスナ４２ａは、多数の微小なループを有するループ面を有している。第１の面ファスナ４２ａは、下側シート体１３の各第２壁部２２の所有者側面Ｓ２側に設けられている。第１の面ファスナ４２ａは、下側シート体１３の上縁に沿い、かつ第２折目部３２に近接した位置にて、横長に配置されている。第２の面ファスナ４２ｂは、下側シート体１３の各第３壁部２３の所有者側面Ｓ２側に設けられている。第２の面ファスナ４２ｂは、上側シート体１２の上側コーナー部から７０ｍｍほど下方の位置に配置されている。つまり、第１の面ファスナ４１ａ、４２ａ同士、第２の面ファスナ４１ｂ、４２ｂ同士は、対応した位置関係にある。従って、第１の面ファスナ４１ａ、４２ａ同士、第２の面ファスナ４１ｂ、４２ｂ同士は、互いに係脱可能となっている。
【００２９】
ここで、第１の面ファスナ４１ａ、４２ａと、第２の面ファスナ４１ｂ、４２ｂとは、上下方向及び横方向にそれぞれ１００ｍｍ以下の範囲で離間して配置されている。また、相対的に小面積である第２の面ファスナ４１ｂ、４２ｂは、相対的に大面積である第１の面ファスナ４１ａ、４２ａよりもシート端部側に配置されている。このような構成にすることで、比較的小さな係止部を目立ちにくい箇所に配置した場合であっても、パーテーション１１の高さと強度とが確保しやすくなる。
【００３０】
次に、この携帯用パーテーション１１の使用方法を図３〜図５に基づいて説明する。図３は、折り畳まれた状態で容器５１に収容されていたシート体１２，１３を取り出すときの様子を示している。図４は、シート体１２、１３を展開するときの様子を示している。図５は、展開されたシート体１２、１３を上下方向にずらして互いに連結するときの様子を示している。
【００３１】
図３に示されるように、パーテーション１１を構成する２枚のシート体１２、１３は、２枚重ねで折り畳まれて平たくなった状態で、平袋状の容器５１内に収容されている。この容器５１としては、例えばＡ４サイズの書類が収容可能なものであれば、どのようなものであってもよい。なお、この容器５１は全体が着色された樹脂からなるものであってもよいほか、その一部または全部が透明で中身が見えるようなものであってもよい。使用時においては、容器５１の開口５２からシート体１２、１３が取り出される。
【００３２】
次に、取り出されたシート体１２、１３における各折目部３１、３２、３３の折を伸ばすようにしてシート体１２、１３を展開させる（図４参照）。このとき、第１の面ファスナ４１ａ、４２ａ同士、第２の面ファスナ４１ｂ、４２ｂ同士は、まだ離間しており、係止していない状態となっている。また、上側シート体１２は下側シート体１３の上に重なった状態で配置されている。
【００３３】
次に、上側シート体１２を図５の白抜き矢印の方向（即ちシート短手方向）にずらすことにより、第１の面ファスナ４１ａ、４２ａ同士、第２の面ファスナ４１ｂ、４２ｂ同士を対面させて接触させる。その結果、第１の面ファスナ４１ａ、４２ａ同士、第２の面ファスナ４１ｂ、４２ｂ同士が係止し、シート体１２、１３同士が互いに連結され、１枚の広面積のパーテーション１１が構成される。なお、本実施形態ではシート体１２、１３同士が重なり合う幅が約１００ｍｍに設定されている。ゆえに、図１に示されるような立設状態において、パーテーション１１の高さは約５００ｍｍとなり、飛沫感染を防止するのに有効な高さを備えたものとなる。なお、使用時におけるパーテーション１１の開度は、図１に示すものに限定されるわけではなく、立設状態が維持される範囲内であれば、好みに応じて自由に変更することが可能である。
【００３４】
そして、使用が終わってパーテーション１１を片付ける際には、基本的に上記の手順とは逆のことを行えばよい。まず、第１の面ファスナ４１ａ、４２ａ同士、第２の面ファスナ４１ｂ、４２ｂ同士の係止を解除して、各シート体１２、１３が互いに連結してない分離状態とする。次に、上側シート体１２を図５の白抜き矢印の反対方向にずらし、下側シート体１３の上に重ね合わせる。次に、２枚のシート体１２、１３を各折目部３１、３２、３３に沿って折り畳み、Ａ４サイズの平たい状態とする。最後に折り畳まれたシート体１２、１３を容器５１内に収容し、再び持ち運び可能な状態とすることで、片付けが完了する。
【００３５】
従って、上記のように構成された本実施形態のパーテーション１１によれば、以下の効果を奏する。
【００３６】
（１）即ち、展開された横長矩形状の各シート体１２、１３は、使用時に互いにシート短手方向にずらして配置され、かつ壁部２１、２２、２３に形成された面ファスナ４１ａ、４１ｂ、４２ａ、４２ｂ同士の係止によって連結される。そしてその結果、立設可能な１枚の広面積のパーテーション１１となる。また使用後には、面ファスナ４１ａ、４１ｂ、４２ａ、４２ｂ同士の係止を解除して各シート体１２、１３を非連結状態とし、各折目部３１、３２、３３に沿って折り畳むことでコンパクトな状態で収容することができる。なお、可撓性の透明樹脂からなる各シート体１２、１３は、軽量であることに加え、繰り返す展開及び折り畳みに適したものとなっている。以上のように本実施形態によれば、軽量でコンパクトに収容できるため携帯に適しており、簡単にかつ手早く取出したり片付けたりすることができる携帯用パーテーション１１を提供することができる。
【００３７】
（２）また、パーテーション１１を構成する各シート体１２、１３は、山折りの第１折目部３１及び第１折目部３２と、谷折りの第３折目部３３との両方を有したものとなっている。そのため、各シート体１２、１３を展開して互いに連結した状態にしたときには、安定的に立設しやすい形状とすることができる。また使用後には、面積の最も大きい２枚の第１壁部２１を外側に配置し、かつそれよりも面積の小さい第２壁部２２及び第３壁部２３を内側に配置した状態で折り畳むことが可能である。このため、折り畳んでコンパクトになった状態のパーテーション１１を、比較的小さい平袋状の容器５１に入れて容易に持ち運ぶことができる。また、このような折り畳み状態であると、取出時や収容時にパーテーション１１が容器５１や手に引っ掛かりにくくなり、取出や収容を容易に行うことが可能となる。さらに、面積の最も大きい２枚の第１壁部２１が各シート体１２、１３の中央部に位置している一方で、中央部においては折目部が比較的少ないことから、対峙して座った使用者同士の視界も確保されやすい。
【００３８】
なお、以上示した実施形態はあくまで一例であり、本考案はその趣旨を逸脱しない範囲内において任意に変更して具体化されることが許容される。
【００３９】
・上記実施形態では、２枚のシート体１２、１３を用いてパーテーション１１を構成したが、３枚用いてパーテーション１１を構成しても構わない。
・上記実施形態では、各シート体１２、１３がシート長手方向に６つ連なる複数の壁部２１、２２、２３を備えたものであったが、壁部２１、２２、２３の数は６に限定されるわけではなく、例えば４、５、７、８等であってもよい。
・上記実施形態では、係止部である面ファスナ４１ａ、４１ｂ、４２ａ、４２ｂをシート体１２、１３ごとに４つずつ設けたが、４つに限定されない。また、面ファスナ４１ａ、４１ｂ、４２ａ、４２ｂを設置する場所も適宜変更することができる。
・上記実施形態では、係止部として面ファスナ４１ａ、４１ｂ、４２ａ、４２ｂを採用したがこれに限定されず、例えばシート体１２、１３自体を加工して係止部を形成してもよい。
・上記実施形態では、折り畳み状態でほぼＡ４サイズの平たい形状に収めることができるパーテーション１１としたが、収容する容器５１に応じて例えばＢ４サイズやＢ５サイズ等の平たい形状に収めることができるパーテーション１１としてもよい。
・上記実施形態では、全体的に透明なシート体１２、１３を用いてパーテーション１１を構成したが、部分的に半透明あるいは不透明な箇所があるシート体１２、１３を用いてもよい。
・上記実施形態では、同種の形成材料を用いて２枚のシート体１２、１３を構成したが、異種の形成材料を用いてもよい。また、シート体１２、１３に対しては、適宜、社名などの文字を刻印、印刷、エンボス加工、シール貼着によって設けてもよい。
【符号の説明】
【００４０】
１１…携帯用パーテーション
１２…（上側）シート体
１３…（下側）シート体
２１…壁部としての第１壁部
２２…壁部としての第２壁部
２３…壁部としての第３壁部
３１…折目部としての第１折目部
３２…折目部としての第２折目部
３３…折目部としての第３折目部
４１ａ、４１ｂ、４２ａ、４２ｂ…係止部としての面ファスナ
Ｓ１…基準面としての相手側面
【図１】
0003232412.tif 000003
【図２】
0003232412.tif 000004
【図３】
0003232412.tif 000005
【図４】
0003232412.tif 000006
【図５】
0003232412.tif 000007